(57)【要約】  本発明の一実施例によるペット乾燥用ジャケットは、シート状に形成され、複数の排出口が形成される本体部と、配管状に形成され、本体部の外側面に連結される供給部とを含み、本体部がペットを取り囲み、本体部の両側端に本体開口を形成した状態で、熱風は供給部を通じて本体部とペットとの間に供給されてペットを乾燥させ、排出口及び本体開口を通じて排出されることを特徴とすることができる。
2021520856.tif 000002
【特許請求の範囲】
【請求項１】
シート状に形成され、複数の排出口が形成される本体部と、
配管状に形成され、本体部の外側面に連結される供給部とを含み、
本体部がペットを取り囲み、本体部の両側端に本体開口を形成した状態で、熱風は供給部を通じて本体部とペットとの間に供給されてペットを乾燥させ、排出口及び本体開口を通じて排出されることを特徴とするペット乾燥用ジャケット。
【請求項２】
本体部は矩形シート状に形成され、
ジャケットは、
それぞれ本体部の両終端部に位置されて互いに離隔された一対の結合部と、
それぞれ結合部と交差するように本体部の両側端部に位置されて互いに離隔され、本体部の両側端部を伸縮させることができる調節部とをさらに含み、
本体部がペットを取り囲み、本体部の両側端に本体開口を形成した状態で、結合部は互いに結合され、調節部は本体部の両側端部を伸縮させて本体開口の大きさを調節することを特徴とする請求項１に記載のペット乾燥用ジャケット。
【請求項３】
調節部は、
紐状に形成され、本体部を貫通して本体部の両側端部に沿って位置される調節ガイド部と、
両終端が連結された調節ガイド部が通過され、調節ガイド部に沿って移動して本体部の両側端部を伸縮させる調節本体部とを含み、
調節ガイド上には調節ストッパが位置され、
調節本体部が調節ガイド部に沿って移動して調節ストッパに接触されれば、調節ストッパは本体部の両側端部を収縮させる調節本体部の移動を制限することを特徴とする請求項２に記載のペット乾燥用ジャケット。
【請求項４】
ジャケットは、
シート状に形成され、複数の供給口が形成され、本体部の内側面に位置されて供給部に連結される供給空間を形成する誘導部をさらに含み、
本体部がペットを取り囲んだ状態で、熱風は供給部を通じて供給空間に供給され、供給口を通じて本体部とペットとの間に供給されることを特徴とする請求項１に記載のペット乾燥用ジャケット。
【請求項５】
ジャケットは、
複数の供給口の間及び本体部と誘導部との間に位置され、所定の幅を有し、誘導部から延長されて供給部から離隔されるように曲がって本体部の内側面に接触される誘導制御部をさらに含み、
熱風が供給部から供給空間に供給される時、熱風は供給部から離隔されるように流動して誘導制御部に到逹し、誘導制御部を本体部の内側面から離隔させ、誘導制御部と本体部との間を通過することを特徴とする請求項４に記載のペット乾燥用ジャケット。
【請求項６】
ジャケットは、
供給部の曲率に相応する曲面形状に形成され、本体部の内側面に位置されて供給部に連結される誘導部をさらに含み、
本体部がペットを取り囲んだ状態で、誘導部は供給部とペットとの間に位置されることを特徴とする請求項１に記載のペット乾燥用ジャケット。
【請求項７】
本体部がペットを取り囲み、本体部の両側端に本体開口を形成した状態で、供給部はペットのしっぽが向かう本体開口近くの本体部の外側面に連結されることを特徴とする請求項１または６に記載のペット乾燥用ジャケット。
【発明の詳細な説明】
【技術分野】
【０００１】
本発明はペット乾燥用ジャケットに関するもので、より詳しくは、ペットを入浴させた後に容易に乾燥させることができるようにするペット乾燥用ジャケットに関する。
【背景技術】
【０００２】
一般的に犬、猫などのようなペットは室内で人と一緒に生活する。このようなペットの清潔に対する注意がよほど傾いている実情である。それにより、ペット主人は頻繁にペットをお風呂に入れてペット特有の匂い及び悪臭を除去し、毛に含まれた細菌、だに、ほこりなどを取り除いて清潔に保持しようとする。
【０００３】
ペット主はペットを入浴させた後、タオルを利用して水分を取り除き、ドライヤー（ｄｒｙｅｒ）などを利用して熱風を加えることで、ペットを乾燥させる。
【０００４】
しかしながら、ペットはタオルで拭いたりドライヤーで熱風を加える時抵抗する場合が多くて、ペット主とペット両方ともストレスを受ける実情である。
【０００５】
特に、ペットはお風呂の後に乾燥する時、体をひどく振って体についた水気を振り払う時水玉だけでなく毛も一緒に飛散されて周辺を汚したりする。また、ペットがじっとせずに逃げたりたくさん動くため、ペットを乾かすのに時間と努力がよほど要求される実情である。
【発明の概要】
【発明が解決しようとする課題】
【０００６】
本発明の技術的思想によるペット乾燥用ジャケットが達しようとする技術的課題は、ペットの動きを最小化した状態でペットを乾燥させることができるペット乾燥用ジャケットを提供することである。
【０００７】
また、本発明の技術的思想によるペット乾燥用ジャケットが達しようとする技術的課題は、ペットを乾燥するための熱風が均一にペットに供給されることができるようにするペット乾燥用ジャケットを提供することである。
【０００８】
本発明の技術的思想によるペット乾燥用ジャケットが達しようとする技術的課題は以上で言及した課題に限定されず、言及されなかったまた他の課題は以下の記載から通常の技術者に明確に理解され得る。
【課題を解決するための手段】
【０００９】
本発明の技術的思想による一実施例によるペット乾燥用ジャケットは、シート状に形成され、複数の排出口が形成される本体部と、配管状に形成され、本体部の外側面に連結される供給部とを含み、本体部がペットを取り囲んで本体部の両側端に本体開口を形成した状態で、熱風は供給部を通じて本体部とペットとの間に供給されてペットを乾燥させ、排出口及び本体開口を通じて排出されることを特徴とすることができる。
【００１０】
また、本体部は矩形シート状に形成され、ジャケットは、それぞれ本体部の両終端部に位置されて互いに離隔された一対の結合部と、それぞれ結合部と交差するように本体部の両側端部に位置されて互いに離隔され、本体部の両側端部を伸縮させることができる調節部をさらに含み、本体部がペットを取り囲んで本体部の両側端に本体開口を形成した状態で、結合部は互いに結合され、調節部は本体部の両側端部を伸縮させて本体開口の大きさを調節することができる。
【００１１】
また、調節部は、紐状に形成され、本体部を貫通して本体部の両側端部に沿って位置される調節ガイド部と、両終端が連結された調節ガイド部が通過され、調節ガイド部に沿って移動して本体部の両側端部を伸縮させる調節本体部とを含み、調節ガイド上には調節ストッパが位置され、調節本体部が調節ガイド部に沿って移動して調節ストッパに接触されれば、調節ストッパは本体部の両側端部を収縮させる調節本体部の移動を制限することができる。
【００１２】
また、ジャケットはシート状に形成され、複数の供給口が形成され、本体部の内側面に位置されて供給部に連結される供給空間を形成する誘導部をさらに含み、本体部がペットを取り囲んだ状態で、熱風は供給部を通じて供給空間に供給され、供給口を通じて本体部とペットとの間に供給されることができる。
【００１３】
また、ジャケットは、供給口の間及び本体部と誘導部との間に位置され、所定の幅を有し、誘導部から延長されて供給部から離隔されるように曲がって本体部の内側面に接触される誘導制御部をさらに含み、熱風が供給部から供給空間に供給される時、熱風は供給部から離隔されるように流動して誘導制御部に到逹し、誘導制御部を本体部の内側面路から離隔させて誘導制御部と本体部との間を通過することができる。
【００１４】
また、ジャケットは、供給部の曲率に相応する曲面状に形成され、本体部の内側面に位置されて供給部に連結される誘導部をさらに含み、本体部がペットを取り囲んだ状態で、誘導部は供給部とペットとの間に位置されることができる。
【００１５】
また、本体部がペットを取り囲んで本体部の両側端に本体開口を形成した状態で、供給部はペットのしっぽが向かう本体開口近くの本体部の外側面に連結されることができる。
【発明の効果】
【００１６】
本発明の技術的思想による複数の実施例によるペット乾燥用ジャケットは下記のような効果を奏する。
【００１７】
（１）ペットの動きを最小化した状態でペットが乾燥されることができるようにすることができる。
【００１８】
（２）ペットを乾燥するための熱風がペットに均一に供給されることができるようにすることができる。
【００１９】
ただ、本発明の一実施例によるペット乾燥用ジャケットが達することができる効果は以上で言及したものなどに限定されず、言及しなかったまた他の複数の効果は以下の記載から通常の技術者に明確に理解され得る。
【図面の簡単な説明】
【００２０】
本明細書で引用される図面をより充分に理解するために各図面の簡単な説明が提供される。
【００２１】
【図１】本発明の第１実施例によるペット乾燥用ジャケットを示す斜視図である。
【図２】本発明の第１実施例によるペット乾燥用ジャケットを他の方向に示す斜視図である。
【図３】本発明の第１実施例によるペット乾燥用ジャケットがペットを乾燥するのに用いられる姿を示す斜視図である。
【図４】本発明の第１実施例によるペット乾燥用ジャケットに熱風が供給される時誘導部で誘導制御部の動作を示す図面である。
【図５】本発明の第１実施例によるペット乾燥用ジャケットが変形された誘導部を含む姿を示す斜視図である。
【図６】本発明の第２実施例によるペット乾燥用ジャケットを示す斜視図である。
【発明を実施するための形態】
【００２２】
本発明は多様な変更を加えることができ、様々な実施例を有することができ、特定実施例を図面に例示して、これを詳細な説明を通じて詳しく説明する。しかしながら、これは本発明を特定の実施形態に対して限定しようとするのではなく、本発明は本発明の思想及び技術範囲に含まれる全ての変更、均等物ないし代替物を含むことと理解すべきである。
【００２３】
本発明を説明するにおいて、係わる公知技術に対する具体的な説明が本発明の要旨を不必要に曖昧にする虞があると判断される場合その詳細な説明を省略する。また、本明細書の説明の過程で利用される数字（例えば、第１、第２など）は一つの構成要素を他の構成要素と区分するための識別記号に過ぎない。
【００２４】
また、本明細書で、一構成要素が他の構成要素に「連結」または「接続」されるなどと言及された場合には、前記一構成要素が前記他の構成要素と直接連結または直接接続されることもできるが、特別に反対される記載が存在しない限り、中間に他の構成要素を介して連結または接続されることもできることと理解すべきである。
【００２５】
また、本明細書で「〜部」で表現される構成要素は２つ以上の構成要素が一つの構成要素に結合されるかまたは一つの構成要素がより細分化された機能別に２つ以上に分画されることもできる。また、以下で説明する構成要素のそれぞれはそれ自体が担当する主機能の外にも他の構成要素が担当する機能の中で一部または全部の機能を追加的に行うこともでき、構成要素それぞれが担当する主機能の中で一部機能が他の構成要素によって専担されて行われることもできることは勿論である。
【００２６】
以下、本発明の技術的思想による複数の実施例を順次に詳しく説明する。
【００２７】
図１は本発明の第１実施例によるペット乾燥用ジャケット１００を示す斜視図であり、図２は本発明の第１実施例によるペット乾燥用ジャケット１００を他の方向に示す斜視図であり、図３は本発明の第１実施例によるペット乾燥用ジャケット１００がペットを乾燥するのに用いられる姿を示す斜視図であり、図４は本発明の第１実施例によるペット乾燥用ジャケット１００に熱風が供給される時誘導部１０５で誘導制御部１０６の動作を示す図面であり、図５は本発明の第１実施例によるペット乾燥用ジャケット１００が変形された誘導部１０５を含む姿を示す斜視図である。
【００２８】
図１〜図５に示すように、本発明の第１実施例によるペット乾燥用ジャケット１００は、本体部１０１、供給部１０２、結合部１０３及び調節部１０４を含み、ペットを乾燥させるのに利用される。ペット乾燥用ジャケット１００は風呂に入ったペット、特にペットの体及び足を囲んだ状態で熱風を利用してペットの毛を乾燥させるのに利用されることができ、特に風呂に入った後のペットに適用されることが好ましい。ここで、ペットは犬、猫などであることが好ましいが、これに限定されず、毛があり、お風呂の後に乾燥する必要のある多様な動物であってもよい。
【００２９】
本体部１０１はシート状に形成され、複数の排出口１１１が形成される。ペットは本体部１０１上に位置され、本体部１０１によって取り囲まれることができる。ここで、本体部１０１の両終端部は互いに連結されることができる。
【００３０】
本体部１０１は、図示したように、矩形のシート状に形成されることが好ましいが、これに限定されず、多様な形象のシート状に形成されてもよい。
【００３１】
また、本体部１０１は柔軟な纎維材料で形成されて折り畳まれることができ、丸めることもできる。本体部１０１は空気が通過できない材質であることができ、合成纎維からなってもよい。
【００３２】
供給部１０２は配管状に形成され、本体部１０１の外側面に連結される。ここで、本体部１０１の外側面は本体部１０１がペットを丸める時、ペットと向い合わない本体部１０１の表面を意味する。
【００３３】
また、供給部１０２も本体部１０１と同じく柔軟な纎維材料で形成されて折り畳まれることができ、丸めることもできる。供給部１０２は空気が通過できない材質であることができ、合成纎維からなってもよい。供給部１０２には空気が供給されることができる。
【００３４】
結合部１０３は一対で形成され、本体部１０１の両終端部に位置されて互いに離隔される。本体部１０１がペットを取り囲んだ状態で、結合部１０３は分離可能に互いに結合されることができる。それにより、ペットは本体部１０１によって取り囲まれた状態で保持されることができる。ここで、結合部１０３はベルクロ（登録商標）（ｖｅｌｃｒｏ）の形態になることができるが、これに限定されず、ジッパー（ｚｉｐｐｅｒ）などのように、本体部１０１の両終端部を互いに結合させて分離させることができる多様な手段からなってもよい。
【００３５】
また、結合部１０３が互いに結合された状態で、本体部１０１の両側端にはそれぞれ本体開口が形成されることができ、本体部１０１の先方に形成された本体開口は本体前面開口１０１ａとし、本体部１０１の裏側に形成された本体開口は本体後面開口１０１ｂとする。ここで、ペットは本体部１０１によって取り囲まれた状態で、首が本体前面開口１０１ａを通過し、しっぽが本体後面開口１０１ｂに向けるように位置されることができる。また、供給部１０２はペットのしっぽが向かう本体後面開口１０１ｂ近くの本体部１０１の外側面に連結されることができる。
【００３６】
調節部１０４は一対で形成され、結合部１０３と交差するように本体部１０１の両側端部に位置されて互いに離隔される。調節部１０４は本体部１０１の両側端部を伸縮（ｅｘｐａｎｓｉｏｎ  ａｎｄ  ｃｏｎｔｒａｃｔｉｏｎ）させることができる。
【００３７】
本体部１０１がペットを取り囲み、結合部１０３が互いに結合された状態で、調節部１０４は本体部１０１の両側端部を伸縮させて本体前面開口１０１ａ及び本体後面開口１０１ｂの大きさを調節することができる。本体部１０１の本体後面開口１０１ｂの大きさが調節されることにより、本体後面開口１０１ｂを通じた熱風の排出が調節されることができる。
【００３８】
また、調節部１０４は調節ガイド部１４１及び調節本体部１４３を含むことができる。
【００３９】
調節ガイド部１４１は紐状に形成され、本体部１０１を貫通して本体部１０１の両側端部に沿って位置される。ここで、調節ガイド部１４１の両終端は互いに連結されることができる。
【００４０】
調節本体部１４３は調節ガイド部１４１に結合されて、調節ガイド部１４１に沿って移動可能である。ここで、調節ガイド部１４１の両終端が連結された状態で、調節ガイド部１４１は調節本体部１４３を通過することができる。調節本体部１４３が調節ガイド部１４１に沿って移動することにより、本体部１０１の両側端部は伸縮されることができ、本体部１０１の本体前面開口１０１ａ及び本体後面開口１０１ｂの大きさは調節されることができる。例えば、調節本体部１４３が調節ガイド部１４１の両終端から離隔されるほど本体部１０１の両側端部は収縮され、本体部１０１の本体前面開口１０１ａ及び本体後面開口１０１ｂの大きさは減少されることができる。一方、調節本体部１４３が調節ガイド部１４１の両終端に近接するほど本体部１０１の両側端部は膨脹され、本体部１０１の本体前面開口１０１ａ及び本体後面開口１０１ｂの大きさは増加されることができる。
【００４１】
一方、調節ガイド部１４１上には調節ストッパ１４１ａが位置されることができる。調節本体部１４３は調節ガイド部１４１に沿って移動して調節ストッパ１４１ａに接触されて調節ガイド部１４１の両終端から離隔されるように移動することができなくなる。ここで、本体部１０１の両側端部は調節部１０４によって収縮されない場合もある。即ち、調節部１０４は本体部１０１とペットとの間を密閉しない場合もある。
【００４２】
特に、調節部１０４はペットのしっぽが向かう本体後面開口１０１ｂの大きさが所定の大きさより小さいように減少されることを防止することができる。ここで、本体後面開口１０１ｂの所定の大きさは熱風による本体部１０１とペットとの間の温度を最適に保持することができる本体後面開口１０１ｂの大きさを意味する。それにより、本体後面開口１０１ｂの大きさが所定の大きさより小さい時に発生し得る本体部１０１とペットとの間の温度上昇及びペットの肌損傷、例えばやけどなどが防止されることができる。
【００４３】
また、調節部１０４はペットの首を締めないようにすることもできて、ペットは本体部１０１によって取り囲まれた状態で不便にならないようにすることができる。
【００４４】
ペットが本体部１０１によって取り囲まれた状態で、熱風供給機２００は供給部１０２に連結されて供給部１０２に熱風を供給することができる。ここで、熱風供給機２００はドライヤーなどのように熱風を生成して供給部１０２に連結されることができる装置であってもよい。
【００４５】
また、熱風は供給部１０２を通過し、ペットと本体部１０１との間に供給されてペットを乾燥させるのに利用され、排出口１１１を通過したりする。排出口１１１を通過した熱風は本体部１０１によって形成された空間の外部に排出される。また、熱風の多くの量はペットと本体部１０１との間に供給されて本体部１０１の本体後面開口１０１ｂを通じて排出されることができる。それにより、熱風はペットと本体部１０１との間に供給されてペットを過度に熱くしないでペットの肌損傷を誘発せず、密閉され得るペットと本体部１０１との間の圧力を増加させて互いに結合された結合部１０３を分離しないことができる。
【００４６】
特に、本体部１０１はペットを取り囲む時、ペットの体及び足をいっぺんに取り囲むので、ペットの動きを制限することができる。それにより、本実施例のペット乾燥用ジャケット１００はペットの動きを制限しようとする時間及び努力を顕著に節減してペットを乾燥させることができる。
【００４７】
また、上記のような本実施例のペット乾燥用ジャケット１００は誘導部１０５及び誘導制御部１０６をさらに含むことができる。
【００４８】
誘導部１０５はシート状に形成され、複数の供給口１５１が形成される。誘導部１０５は本体部１０１の内側面に位置されて供給空間１０５ａを形成する。ここで、本体部１０１の内側面は本体部１０１がペットを取り囲む時ペットと対向する本体部１０１の表面を意味する。また、供給空間１０５ａは供給部１０２に連結される。本体部１０１がペットを取り囲んだ状態で、供給空間１０５ａは供給口１５１を通じて本体部１０１とペットとの間に連結されることができる。一方、誘導部１０５は本体部１０１の排出口１１１を閉鎖しないように本体部１０１の内側面に位置される。また、誘導部１０５は図２及び図５に示すように多様な形態で形成されることができる。
【００４９】
また、誘導部１０５は本体部１０１と同じく柔軟な纎維材料で形成されて、折り畳まれることもでき、丸めることもできる。誘導部１０５は空気が通過できない材質であることができ、合成纎維からなってもよい。
【００５０】
本体部１０１がペットを取り囲んだ状態で、熱風供給機２００が供給部１０２に連結されて供給部１０２に熱風を供給する時、熱風はペットと本体部１０１との間に直接供給されないで、供給空間１０５ａに供給されて複数の供給口１５１を通じてペットと本体部１０１との間に供給される。それにより、熱風は供給部１０２と本体部１０１との連結部品に隣接したペットの部位のみ集中されず、供給口１５１に対応するペットの複数の部位にかけて均一に供給されることができる。従って、誘導部１０５は熱風を均一にペットに供給されるようにして、ペットはより均一に乾燥されることができ、特定部位に熱風の集中によるペットの肌損傷も防止されることができる。
【００５１】
誘導制御部１０６は供給空間１０５ａに位置され、所定の幅を有し、誘導部１０５から延長されて供給部１０２から離隔されるように曲がり、本体部１０１の内側面に接触される。ここで、誘導制御部１０６は誘導部１０５と本体部１０１との間に位置され、それぞれ供給口１５１らの間に位置されて供給空間１０５ａを区画する。また、誘導制御部１０６は空気が通過できない材質であることができ、プラスチックまたは合成纎維からなってもよい。
【００５２】
熱風が供給部１０２から供給空間１０５ａに供給される時、熱風は供給部１０２から離隔されるように流動して誘導制御部１０６に到逹して誘導制御部１０６を本体部１０１の内側面から離隔させる。ここで、熱風は誘導制御部１０６と本体部１０１との間を通過し、供給空間１０５ａで広がる。
【００５３】
熱風は誘導制御部１０６と本体部１０１を通過する時本体部１０１と誘導部１０５の間を通過する時より早い速度で流動する。即ち、誘導制御部１０６はより速かに熱風を供給空間１０５ａで広がるようにして供給口１５１に対応するように誘導させることができる。また、誘導制御部１０６が供給部１０２から離隔されるように曲がった形状を有するので、熱風は本体部１０１と誘導部１０５との間を通過した後誘導制御部１０６によって供給部１０２に向けて流動しない場合もある。それにより、誘導制御部１０６は熱風を供給空間１０５ａにかけて広がった状態で保持することができる。
【００５４】
図６は本発明の第２実施例によるペット乾燥用ジャケット２００を示す斜視図である。
【００５５】
図６に示すように、本発明の第２実施例によるペット乾燥用ジャケット２００は本体部２０１、供給部２０２、結合部２０３、調節部２０４及び誘導部２０５を含んで、ペットを乾燥させるのに利用される。本実施例の本体部２０１、供給部２０２、結合部２０３及び調節部２０４は第１実施例の本体部１０１、供給部１０２、結合部１０３及び調節部１０４と実質的に同じであるので、これに対する具体的な説明は省略する。一方、図６に示した本実施例のペット乾燥用ジャケット２００は誘導部２０５がなくてもペットを乾燥させるのに利用されることができるが、発生される虞のあるペットの肌損傷、例えばやけどなどを誘導部２０５によって防止することができる。ここで、本実施例の誘導部２０５は第１実施例の誘導部１０５とは異なる構成であるので、本実施例は誘導部２０５を中心に説明する。
【００５６】
誘導部２０５は本体部２０１の内側面に位置して供給部２０２に連結され、供給部２０２の曲率に相応する曲面状に形成される。また、誘導部２０５は柔軟な纎維材料で形成されて折り畳まれることができ、丸めることもできる。誘導部２０５は空気が通過できない材質であることができ、合成纎維からなってもよい。
【００５７】
本体部２０１がペットを取り囲んだ状態で、誘導部２０５は供給部２０２とペットとの間に位置される。ここで、熱風供給機２００が供給部２０２に連結されて供給部２０２に熱風を供給する時、熱風は誘導部２０５によってペットに直接到逹しないで相当な量が本体後面開口を通じて排出され、残り量がペットと本体部２０１との間で広がることができる。それにより、熱風は供給部２０２と本体部２０１との連結部品に隣接したペットの部位のみに集中されなくなる。従って、誘導部２０５は熱風をペットに均一に供給されるようにして、ペットはより均一に乾燥されることができ、特定部位に熱風の集中によるペットの肌損傷も防止されることができる。
【００５８】
以上、本発明の技術的思想を好ましい実施例を挙げて詳細に説明したが、本発明の技術的思想は上記実施例に限定されず、本発明の技術的思想の範囲内で当該分野において通常の知識を有する者によって多様に変形及び変更が可能である。
【産業上の利用可能性】
【００５９】
本発明はペットを入浴させた後に容易に乾燥させることができるようにするペット乾燥用ジャケットをその対象とするもので、ペット用品に適用されることができる。
【図１】
2021520856.tif 000003
【図２】
2021520856.tif 000004
【図３】
2021520856.tif 000005
【図４】
2021520856.tif 000006
【図５】
2021520856.tif 000007
【図６】
2021520856.tif 000008
【国際調査報告】
2021520856.tif 000009
2021520856.tif 000010
2021520856.tif 000011
2021520856.tif 000012